(57)【特許請求の範囲】
【請求項１】
デッドボルト駆動用アクチュエータにより施解錠位置間で駆動され、施錠位置において扉の開放操作を規制するデッドボルトを備えた電気錠部と、
扉から没入操作可能に突出して扉枠に係止し、ラッチ駆動用アクチュエータにより駆動されるラッチストッパにより没入操作を規制されたロック状態において扉の閉塞状態を維持するラッチを備えたラッチ部と、
デッドボルトの施解錠状態を検出する施解錠状態検出部と、
前記デッドボルト駆動用アクチュエータおよびラッチ駆動用アクチュエータを制御する錠制御部とを有し、
前記ラッチは、施錠状態における開扉操作時にデッドボルトより扉枠に先当たりしてデッドボルトと扉枠との接触圧を低減させるとともに、
前記錠制御部は、施解錠状態検出部における解錠状態の検出を条件にラッチ駆動用アクチュエータへのラッチストッパ解除信号を出力し、
かつ、扉操作ハンドル、またはその近傍に配置された扉接触検出装置を有し、
前記ラッチ駆動用アクチュエータは、前記施解錠状態検出部における解錠状態の検出に加え、前記扉接触検出装置における接触検出をラッチストッパ解除の条件とする扉用錠装置。
【請求項２】
前記ラッチは、扉枠との当接面が開扉軌跡に直交する係止姿勢と、開扉軌跡に対して斜行し、開扉操作による没入方向の分力が発生する没入可能姿勢との間を回転自在である請求項１記載の扉用錠装置。
【請求項３】
前記錠制御部は、利用者が所持する携帯器からの認証用無線信号に対する認証成立を条件に解錠可能信号を出力する認証部と、
携帯器に対して認証用無線信号の出力を要求するリクエスト信号出力部とを有し、
前記扉接触検出装置が、リクエスト信号出力部の起動スイッチである請求項１または２記載の扉用錠装置。
【請求項４】
前記扉接触検出装置が、扉操作ハンドルに装着された静電容量センサである請求項１ないし３のいずれかに記載の扉用錠装置。
【発明の詳細な説明】
【技術分野】
【０００１】
本発明は、扉用錠装置に関するものである。
【背景技術】
【０００２】
アクチュエータにより施解錠駆動される錠装置としては、特許文献１に記載のものが知られている。この従来例において錠装置はアクチュエータにより駆動され、施錠状態において開扉操作を規制するためのデッドボルトと、ラッチストッパにより突出状態が維持されるラッチとを有する。
【０００３】
デッドボルトの駆動に先立ってラッチ拘束が解除されると、デッドボルトに扉背圧がかかって摺動抵抗が増加し、デッドボルトの作動不良が発生する虞がある。これを回避するために、ラッチ拘束方向に付勢されて回転自在なラッチストッパには、デッドボルトの解錠方向への移動に際して干渉する係合突起が設けられ、デッドボルトの解錠方向への移動が確実にラッチ拘束解除動作に先行するように構成される。
【特許文献１】特開２００６-３７３５５号公報
【発明の開示】
【発明が解決しようとする課題】
【０００４】
しかし、上述した従来例において、ラッチストッパの動作はデッドボルトの動作に同期しており、デッドボルトの没入動作に必ず対応してラッチストッパの解除が行われるために、ラッチ拘束解除のタイミングが一義的に決定され、運用の融通性に欠けるという問題がある。
【０００５】
すなわち、デッドボルトが解錠状態のときにラッチ拘束を解除すると、風圧等により扉は容易に開放してしまうために、閉扉状態を維持するためには、デッドボルトを施錠状態にしておく必要がある。閉扉状態の維持だけのために施錠状態にすると、戸外からの開扉操作の度に認証操作が必要になり、一時的に戸外に出る場合にも解錠操作が必要になり、使い勝手が悪くなる。
【０００６】
また、解錠操作が遠隔的に行われた場合には、扉への操作を行おうとした際に扉が風圧等により不意に開いてしまうという問題も発生する。
【０００７】
加えて、ラッチストッパはデッドボルトの没入動作時の機械的変位を利用して作動するために、ラッチとデッドボルトは近接して配置することが条件となり、扉上でのレイアウトの自由度が低下する。
【０００８】
本発明は、以上の欠点を解消すべくなされたものであって、解錠操作時におけるデッドボルトの没入動作信頼性を高めることができる上に、ラッチの解除タイミング等を最適に設定することのできる扉用錠装置の提供を目的とする。
【課題を解決するための手段】
【０００９】
扉用錠装置は、施錠状態においてデッドボルト３が扉枠５に解除不能に係止して扉２への開放操作を規制する電気錠部４と、電気錠部４が解錠状態のときにデッドボルト３に代わって扉枠５に係止して閉扉状態を維持するラッチ部９とを有する。
【００１０】
ラッチ部９のラッチ８は、扉２内への没入操作可能に扉２から突出し、閉扉状態で扉枠５に係止する。ラッチストッパ７は作動状態において扉２内へのラッチ８の没入を規制し、ラッチストッパ７により動作が拘束されたラッチ８は、電気錠部４が解錠状態でデッドボルト３による扉２の拘束がない状態でデッドボルト３に代わって扉枠５に係止し、扉２の閉塞状態を維持する。
【００１１】
これに対し、電気錠部４が解錠状態にあり、さらにラッチストッパ７が解除している場合、扉２への開放操作力を付与し、あるいは扉２に固定される扉操作ハンドル１２にラッチ８解除操作を加えると、ラッチ８は扉２内に没入し、開扉操作が許容される。ラッチ８の先端は、扉枠５への係止状態において開扉操作を行った際に扉枠５に直交して当接する直交面と、直交面に鋭角で交差し閉扉操作に際して扉枠５に衝接する斜面との２面を備え、ラッチ８が突出した状態で閉扉操作を行うと、斜面の扉枠５との衝接部に発生する分力によりラッチ８が没入して扉枠５に係止する。この状態で開扉操作を行うと、直交面が扉枠５に正対し、開扉操作力によるラッチ８への没入方向分力は発生しない。
【００１２】
ラッチ部９は、扉枠５への係止状態、すなわち、上述した直交面が扉枠５に係止した状態からのラッチ８の解除に際し、予めラッチ８解除操作を行うものであっても、あるいは、開扉操作に伴う直交面への押圧力を利用してラッチ８を所定角度回転させて直交面を斜面として機能させる所謂反転ラッチとして構成することもできる。
【００１３】
前者のタイプのラッチ部９に対するラッチ８解除操作は、例えば、扉操作ハンドル１２への回転操作に連動させてラッチ８を強制的に扉２内に没入させることにより実現可能であり、ラッチストッパ７は、ラッチ８の没入動作を規制することによりラッチ８解除操作によるラッチ８解除を規制する。これに対し、後者、すなわち、回転姿勢により同一面を斜面、あるいは直交面として機能させる反転ラッチ８において、ラッチストッパ７は、ラッチ８の回転を規制することによりラッチ８解除を規制する。
【００１４】
さらに、ラッチ８は、電気錠部４が施錠状態にあるとき、開扉操作に際してデッドボルト３に先立って扉枠５に当接してデッドボルト３と扉枠５との接触圧が過度に高くなることを防止し、デッドボルト３の円滑な没入動作を保証する。
【００１５】
上記電気錠部４、およびラッチ部９の制御は、錠制御部１１から出力される制御信号によりデッドボルト駆動用アクチュエータ１、およびラッチ駆動用アクチュエータ６を制御して行われる。デッドボルト３は、デッドボルト駆動用アクチュエータ１により駆動されて施解錠位置間を移動し、少なくとも錠制御部１１からの解錠命令の出力は、認証部１５における解錠操作権限の認証を条件とする。認証部１５には、指紋認証等の生体認証装置、あるいは、後述するように、使用者が所持する携帯器１４からの認証用信号に対する認証装置が使用できる。
【００１６】
ラッチ駆動用アクチュエータ６は、ラッチストッパ７を駆動してラッチ８の没入、あるいは反転ラッチ８におけるラッチ８反転動作を規制する。錠制御部１１は、ラッチストッパ７の解除信号を出力する際には、電気錠部４の施解錠状態を検出する施解錠状態検出部１０が解錠状態を検出していることを条件とし、ラッチ８の没入動作がデッドボルト３没入動作に先行しないことが保証される。
【００１７】
この結果、開扉操作を行いながら解錠操作が行われた場合であっても、デッドボルト３と扉枠５との接触圧が過度に高まってデッドボルト３の作動不良を起こすことが防止される。
【００１８】
また、電気錠部４とラッチ部９とを各々個別にアクチュエータにより駆動するために、電気錠部４とラッチ部９との取り付け位置関係についての制約がなくなり、扉２上での配置の自由度が高まる。また、ラッチ部９へのラッチ８拘束解除タイミングは、電気錠部４におけるデッドボルト３の動作タイミングに合わせて最適に設定することができるために、例えば、風圧で不用意に扉２が開いてしまうような不具合が防止できる。
【００１９】
上述したように、ラッチ部９は並進移動のみが可能なものでも、反転ラッチ８でも使用可能であるが、反転ラッチ８にした場合には、特別なラッチ８没入機構を要しないために、構造が簡単になる。
【００２０】
また、以上の扉用錠装置は、
扉操作ハンドル１２、またはその近傍に配置された扉接触検出装置１３を有し、
前記ラッチ駆動用アクチュエータ６は、前記施解錠状態検出部１０における解錠状態の検出に加え、前記扉接触検出装置１３における接触検出をラッチストッパ７解除の条件として構成され、これにより電気錠に対する解錠操作を扉２から離れた遠隔位置で行うことが可能な構成を取る。
【００２１】
このように構成すると、ラッチストッパ７の解除の条件に扉２操作者が扉２の近傍にいることが追加されることとなるために、扉２の不用意な開放が防止できる。
また、本発明によれば、
デッドボルト駆動用アクチュエータ１により施解錠位置間で駆動され、施錠位置において扉２の開放操作を規制するデッドボルト３を備えた電気錠部４と、
扉２から没入操作可能に突出して扉枠５に係止し、ラッチ駆動用アクチュエータ６により駆動されるラッチストッパ７により没入操作を規制されたロック状態において扉２の閉塞状態を維持するラッチ８を備えたラッチ部９と、
デッドボルト３の施解錠状態を検出する施解錠状態検出部１０と、
前記デッドボルト駆動用アクチュエータ１およびラッチ駆動用アクチュエータ６を制御する錠制御部１１とを有し、
前記ラッチ８は、施錠状態における開扉操作時にデッドボルト３より扉枠４に先当たりしてデッドボルト３と扉枠４との接触圧を低減させるとともに、
前記錠制御部１１は、施解錠状態検出部１０における解錠状態の検出を条件にラッチ駆動用アクチュエータ６へのラッチストッパ解除信号を出力する扉用錠装置を提供することも可能である。
【発明の効果】
【００２２】
本発明によれば、解錠操作時におけるデッドボルトの没入動作信頼性を高めることができる上に、ラッチの解除タイミング等を最適に設定することができる。
【発明を実施するための最良の形態】
【００２３】
図１に示すように、扉用錠装置は、電気錠部４と、ラッチ部９と、電気錠部４、およびラッチ部９の動作を制御する錠制御部１１とを有する。図１には、電気錠部４、ラッチ部９、および錠制御部１１を扉２に固定した場合を示すが、錠制御部１１は、扉２以外に配置することもできる。
【００２４】
また、扉２には、扉２の開放操作を行う際の手掛けとなる扉操作ハンドル１２と、施錠操作を行う際の施錠ボタン１７が配置される。扉操作ハンドル１２の適宜箇所には、扉接触検出装置１３としての静電容量センサが配置される。静電容量センサ１３は、後述するパッシブ操作時の解錠ボタンとしても利用される。
【００２５】
電気錠部４は、上記錠制御部１１により制御されて施解錠駆動されるデッドボルト駆動用アクチュエータ１と、デッドボルト駆動用アクチュエータ１により扉枠５に向けて施解錠位置間を進退駆動され、扉２から一端が突出する施錠位置において扉枠５に係止して扉２への開放操作を規制するデッドボルト３とを錠ケース１８内に固定して形成される。
【００２６】
デッドボルト３の施解錠位置を検出するために、錠ケース１８内には解錠状態検出スイッチ（施解錠状態検出部１０）が配置され、デッドボルト３が扉２内に没入する解錠位置にあると、解錠状態検出信号として”ＯＮ”を出力する。
【００２７】
一方、ラッチ部９は、ラッチケース１９内に収容されるラッチ８、ラッチストッパ７、およびラッチ駆動用アクチュエータ６とを有する。ラッチ８は後に詳述するように、反転ラッチ８であり、閉扉時の扉枠５との係止状態の維持、解除をラッチ駆動用アクチュエータ６により駆動されるラッチストッパ７のセット、解除操作により制御でき、閉扉状態でラッチストッパ７をセットすると、ラッチ８の扉枠５内への没入が規制され、実質的に扉２を施錠したのと同様の状態となる。これに対し、ラッチストッパ７の解除状態で扉２に開放操作力を与えると、ラッチ８が所定角度回転した後、扉２内に没入し、扉枠５との係止が解除される。
【００２８】
錠制御部１１は、携帯器１４が発信する認証用ＩＤの認証を条件として電気錠部４の施解錠状態を遷移させる。図２に示すように、携帯器１４は、制御部２０（ＣＰＵ）により制御されるＲＦ送出部２１、ＬＦ受信部２２、携帯器１４固有の認証用ＩＤが格納されるＩＤ記憶部２３、施錠ボタン操作検出部２４、および解錠ボタン操作検出部２５を有する。
【００２９】
携帯器１４には、利用者により操作可能な施錠ボタン２６と解錠ボタン２７とが配置されており、いずれかへの操作が施解錠操作検出部２４、２５により検出されると、ＣＰＵ２０は、ＩＤ記憶部２３内の認証用ＩＤ、および施解錠の区別を含む認証用無線信号を生成してＲＦ送出部２１に出力し、アンテナ２８から発信する。
【００３０】
ＬＦ受信部２２は、扉２側の施解錠ボタン１３、１７への操作（パッシブ操作）が行われた場合に錠制御部１１から送信されるリクエスト信号を受信する。ＬＦ受信部２２がリクエスト信号を受信すると、ＣＰＵ２０は、携帯器１４側の施解錠ボタン２４、２５操作による交信開始（アクティブ操作）時と同様に認証用無線信号をセットし、ＲＦ送出部２１から出力する。
【００３１】
図３に錠制御部１１の機能ブロック図を示す。錠制御部１１は、制御部（ＣＰＵ２９）に接続されるＩＤ記憶部３０、ＲＦ受信部３１、および認証部１５を有する。ＩＤ記憶部３０には、認証可能な携帯器１４の認証用ＩＤが格納されており、ＲＦ受信部３１は、上述した携帯器１４からの認証用無線信号を受信すると、これから認証用ＩＤ、および施解錠種等を抽出し、ＣＰＵ２９に通知する。
【００３２】
通知を受けたＣＰＵ２９は認証用ＩＤを認証部１５に出力し、認証部１５は、認証用ＩＤがＩＤ記憶部３０内に存在するか否かを判定し、存在する場合に認証成立信号を出力する。認証成立信号を受領したＣＰＵ２９は、上記施解錠種信号に基づき、デッドボルト制御部３２に施錠、あるいは解錠信号をセットし、デッドボルト制御部３２に接続されるデッドボルト駆動用アクチュエータ１を駆動する。
【００３３】
また、扉２に配置された施錠ボタン１７への操作が施錠ボタン操作検出部３３により検出され、あるいは扉操作ハンドル１２への接触が静電容量センサ１３に接続されるハンドル操作検出部３４により検出されると、パッシブ動作が開始される。パッシブ動作が開始されると、ＣＰＵ２９はリクエスト信号をＬＦ送出部（リクエスト信号出力部１６）にセットし、アンテナ３５経由して携帯器１４に送信する。リクエスト信号には、施錠ボタン１７への操作の場合には施錠信号、扉操作ハンドル１２への接触による場合には、解錠信号が付与され、リクエスト信号出力後、ＣＰＵ２９は所定時間、ＲＦ受信部３１からの出力を監視して携帯器１４からのレスポンスを待ち、携帯器１４からの認証用無線信号を受信すると、アクティブ操作と同様に、認証部１５での認証成立を条件に、デッドボルト３を駆動する。
【００３４】
また、錠制御部１１には、扉２の開閉状態を検出するための扉開閉検出部３６が設けられ、錠ケース１８内に配置された扉開閉検出スイッチ３７に接続される。開扉状態での施解錠、とりわけ電気錠部４に対する施錠操作は、閉扉操作に伴うデッドボルト３の破損の原因となるために、錠制御部１１による制御は、扉開閉検出部３６における扉閉信号の検出を条件とする。
【００３５】
さらに、錠制御部１１は、ラッチ制御部３８を備える。ラッチ制御部３８は、ラッチ駆動用アクチュエータ６にセット、セット解除信号を出力し、ラッチストッパ７を駆動する。電気錠部４を施錠状態から解錠状態に移行させる際のデッドボルト３の背圧による作動不良を防止するために、ラッチ制御部３８からのセット解除信号の出力は、上記解錠状態検出スイッチ１０が接続する解錠スイッチ検出部３９における解錠状態検出を条件とする。
【００３６】
図４、５に上記錠制御部１１の動作を示す。運用開始によりＣＰＵ２９は扉開閉検出部３６の出力を監視する（ステップＳ１）。ステップＳ１で扉閉信号が検出されると、電気錠部４への施解錠命令を検出するために、まず、施錠ボタン操作検出部３３の出力を確認し（ステップＳ２）、施錠ボタン１７への操作が検出されなかった場合には、パッッシブ操作による解錠命令を確認するために、ハンドル操作検出部３４の出力を確認する（ステップＳ３）。
【００３７】
ステップＳ３で扉操作ハンドル１２への接触が検出されなかった場合、ＲＦ受信部３１の出力によりアクティブ操作による施解錠命令を確認する（ステップＳ４）。ステップＳ４において携帯器１４からの認証用無線信号を受信し、かつ、送出された認証用ＩＤが認証部１５で認証された場合、施解錠種信号から、施解錠の種類を判定する（ステップＳ５、６）。施解錠種の判定で解錠要求とされた場合、電気錠部４を解錠駆動し（ステップＳ７）、次いで、解錠スイッチ検出部３９の出力から解錠操作が完了を確認し（ステップＳ８）、初期状態でセット状態にあるラッチストッパ７の解除操作の可否が判定される。
【００３８】
以上のステップＳ２からＳ８まででは、アクティブ操作による解錠命令がなわれた場合の制御が実行されるが、ステップＳ３において扉操作ハンドル１２への接触が検出された場合には、パッシブ操作による解錠命令に対する処理が実行される。すなわち、ハンドル操作検出部３４が扉操作ハンドル１２への接触を検出すると、ＬＦ送出部１６からリクエスト信号が送信され（ステップ３-１）、所定時間携帯器１４からのレスポンスを待つ。携帯器１４から出力された認証用ＩＤに対する認証が成立すると（ステップＳ３-２）、デッドボルト駆動用アクチュエータ１を駆動してデッドボルト３を解錠位置に移動させた後（ステップＳ３-３）、解錠スイッチ検出部３９の出力により解錠操作が完了を確認する（ステップＳ３-４）。
【００３９】
さらに、扉用錠装置に対して施錠操作がパッシブ操作により行われた場合、すなわち、ステップＳ２で施錠ボタン２６の操作が検出された場合には、リクエスト信号を送出した後（ステップ２-１）、携帯器１４からのレスポンスを待つ（ステップＳ２-２）。レスポンスに対する認証が成立した場合、デッドボルト制御部３２に施錠信号をセットし、デッドボルト３を施錠位置に移動させた後（ステップＳ２-３）、制御を初期ステップ、すなわち扉閉の検出ステップ（ステップＳ１）に移す。
【００４０】
一方、ステップＳ８、およびステップＳ３-４において解錠完了が検出された場合、ラッチストッパ７の解除操作が行われる。ステップＳ８において解錠完了が検出された場合、すなわち、アクティブ操作により解錠操作が行われた場合には、図５に示すように、ラッチストッパ７解除までの時間を制限するために、まず、計時を開始し（ステップＳ９、１０）、所定時間内に後述する操作が行われなかった場合、ステップ２-３を実行して電気錠部４を施錠状態に移行させる。
【００４１】
これに対し、所定時間内に扉開閉検出部３６において開扉操作が検出されなかった場合（ステップＳ１１）、ラッチストッパ７の解除の前提となる扉操作ハンドル１２への操作の有無をハンドル操作検出部３４により検出する（ステップＳ１２）。上述したように、扉操作ハンドル１２への操作は、パッシブ操作による解錠命令を兼ねているために、ステップＳ１２で静電容量センサによる接触が検出されなかった場合、他の操作による施解錠操作、すなわち、パッシブ操作による施錠操作、アクティブ操作による施解錠操作がなかったか否かを検出し、ステップＳ１２に続くステップＳ１３で施錠ボタン２６、１７への操作が検出された場合、リクエスト信号を出力した（ステップＳ１３-１）、携帯器１４からの認証可能なレスポンスを受信した場合（ステップＳ１３-２）、ステップＳ２-３を実行して施錠操作が行われる。
【００４２】
また、以上のステップでパッシブ操作による施錠操作が検出されなかった場合、ステップＳ１３に続くステップＳ１４、１５、１６でアクティブ操作による施解錠命令の有無を確認し、施解錠命令が検出された場合には対応する処理がなされる。
【００４３】
これに対し、ステップＳ１２で扉操作ハンドル１２への接触が検出された場合、ラッチ制御部３８にストッパ解除信号をセットし、ラッチストッパ７を解除する（ステップＳ１２-１）。ラッチストッパ７の解除時間には制限が設けられ、制限時間計測のためにタイマーがセットされ（ステップＳ１２-２、１２-３）、開扉操作を待つ（ステップＳ１２-４）。
【００４４】
ステップＳ１２-４で扉２の開放が検出され、またはタイマーがタイムアップすると、ラッチ駆動用アクチュエータ６が駆動され、ラッチストッパ７がセットされる（ステップＳ１２-５）。後述するように、この実施の形態において使用されるラッチ８は、扉２が開扉状態に移行すると同時に反転状態を解消して初期姿勢に復帰する反転ラッチ８が使用される。このラッチ８は、開扉状態においてラッチストッパ７がセットされても閉扉操作時の扉２内への没入が可能であるために、ステップＳ１２-４において開扉状態が検出された場合であってもラッチストッパ７をセットするように制御されているが、ラッチ部９に非反転ラッチ８、あるいは閉扉操作力を利用して初期姿勢に復帰させる反転ラッチ８を使用する場合には、開扉後の閉扉状態を確認した後、ラッチストッパ７をセットするように構成される。
【００４５】
図６以下に電気錠部４とラッチ部９の詳細を示す。図示の例は、電気錠部４の錠ケース１８と、ラッチ部９のラッチケース１９を連結して形成されたものが示されているが、双方に機械的伝力関係はないために、離接して扉２に固定することも可能である。
【００４６】
図６、７に示すように、電気錠部４のデッドボルト駆動用アクチュエータ１にはモータ１が使用され、モータ１の駆動力は、モータ１とともにギアボックス４０内に収容されるギア列４１、およびラック４２を介してデッドボルト操作カム４３に伝達される。デッドボルト操作カム４３には、アーム４３ａが突設されるとともに、中心部には、図外のシリンダ錠、あるいはサムターン装置による手動施解錠操作が可能なように、シリンダ錠等の連結孔４３ｂが形成される。
【００４７】
また、電気錠部４のデッドボルト３はＵ字断面形状を有し、上記デッドボルト操作カム４３のアーム４３ａの作動領域に干渉する位置に施錠用被押動部３ａと、解錠用被押動部３ｂとが、ギアボックス４０に対向する位置にストッパ段部３ｃが各々一体形成される。
【００４８】
図７（ａ）に示すようにデッドボルト３が錠ケース１８から突出する施錠位置からモータ１ａを解錠方向に駆動すると、デッドボルト操作カム４３が時計回りに回転する。デッドボルト操作カム４３の回転によりアーム４３ａが解錠用被押動部３ｂに干渉した後、後方に押し出してデッドボルト３を解錠位置に移動させる。
【００４９】
この解錠状態からモータ１を施錠方向に駆動すると、図７（ａ）に示すように、デッドボルト操作カム４３が反時計方向に回転する。デッドボルト操作カム４３の回転に伴ってアーム４３ａが施錠用被押動部３ａを押し付け、デッドボルト３を施錠位置に移動させる。
【００５０】
また、デッドボルト３には鎌部材４４が枢軸４４ｂ周りに回転自在に連結される。図６（ｂ）に示すように、鎌部材４４は施錠状態において扉枠５に開設されたストライク開口５ａに係止し、扉枠５が図６（ｂ）に示すＦ方向に引張られたときのデッドボルト３の抜去を防止する。この鎌部材４４は一端部に作動突部４４ａを有しており、デッドボルト３が施錠位置から解錠位置に移動するときに錠ケース１８の干渉突部１８ａに当接して鎌部材４４をストライク開口５ａとの係止解除位置側に回転させる。
【００５１】
また、錠ケース１８には、デッドストッパ４５が回転可能に装着される。デッドストッパ４５は図７（ａ）に示すように、デッドボルト３が施錠位置にあるときにデッドボルト３のストッパ段部３ｃに係止してデッドボルト３の押し込み方向の強度を向上させる。このデッドストッパ４５は、デッドボルト操作カム４３の時計回りの回転、すなわち、解錠方向への回転に伴ってストッパ段部３ｃとの係止解除位置側に回転駆動され、図７（ｂ）に示すように、当該位置においてギアボックス４０に近接する。
【００５２】
デッドストッパ４５のギアボックス４０への接近は、デッドストッパ４５に固定された永久磁石４５ａと、ギアボックス４０内に固定されたホール素子４０ａからなる解錠状態検出スイッチ１０により検出され、デッドボルト３が解錠状態にあることが検知される。
【００５３】
図８、９に示すように、ラッチ部９のラッチケース１９には、前方と上下側壁が開放されるともに、後端がバネ受け壁４６ａにより閉塞されたラッチ保持筒４６が固定され、ラッチ８はこのラッチ保持筒４６内に前後移動自在に収容される。ラッチ８は、前端部にラッチ８の移動方向に平行な係止面と、この係止面に鋭角で交差するストッパ面とを有し、上下が水平面からなる三角柱形状のブロック部８ａを備え、ブロック部８ａをラッチ保持筒４６の前方開口４６ｂから露出させた姿勢でラッチ保持筒４６内に挿入される。
【００５４】
また、ラッチ８にはラッチ保持筒４６の上下側壁開口４６ｃ、４６ｄ内に張り出すストッパアーム８ｂ、８ｂ’が後方に向けて突設され、これら一対のストッパアーム８ｂ、８ｂ’に挟まれるようにしてスライダ４７がラッチ保持筒４６内に前後移動自在に配置される。スライダ４７と上記バネ受け壁４６ａとの間には圧縮スプリング４８が装着され、ラッチ８は、スライダ４７により前方に付勢される。図９（ｂ）に示すように、圧縮スプリング４８は、ストッパ面寄りに偏位して配置される。
【００５５】
さらに、ブロック部８ａの上下面にはラッチ保持筒４６の上下側壁開口４６ｃ、４６ｄ内に突出するカム突起８ｃ、８ｃ’が突設され、このカム突起８ｃに正対するように、上下側壁開口４６ｃ、４６ｄの前端面にはカム受け面４６ｅ、４６ｅ’が形成される。
【００５６】
図１０（ａ）に示すように、ラッチ８は扉２の開放方向（図７（ａ）における矢印Ｏ方向）に係止面を向けた係止姿勢で扉枠５側のストライク開口５ａに係止される。図６（ａ）に示すように、ラッチ８とデッドボルト３とが各々ストライク開口５ａ、５ｂに係止した状態で、ラッチ８と対応するストライク開口５ｂとの開扉方向の間隙（δ０）は、デッドボルト３と対応するストライク開口５ａとの間隙（δ１）より小寸に設定されており、開扉操作が行われた場合、ラッチ８がデッドボルト３に先立ってストライク開口５ｂに当接する。
【００５７】
解錠状態において、図１０（ａ）に示すストライク開口５ｂへの係止状態から扉２に開放方向の操作力が付与されると、ラッチ８の係止面はストライク開口５ｂから矢印Ｏと反対方向の力を受ける。この結果、ラッチ８は、図１０（ｂ）に示すように、ストッパ面がラッチ保持筒４６の内壁面に当接するまで時計回りに回転して没入可能姿勢に移行する。この状態からさらに開扉操作を続けると、開扉方向線に対して斜めとなった係止面はストライク開口５ｂの周縁からラッチ８没入方向の分力を受け、ラッチ８は圧縮スプリング４８の反力に抗して扉２内に没入してストライク開口５ｂから脱離する（図１０（ｃ）参照）。
【００５８】
この後、扉２が扉枠５から完全に離れると、圧縮スプリング４８の復元力によりラッチ８は前方に押し出され、カム突起８ｃはカム受け面４６ｅに当接する。図１０（ｃ）に示す姿勢で、ラッチ８とスライダ４７との接触部は、カム受け面４６ｅとカム突起８ｃとの接触部に対して開扉方向に偏位しているために、ラッチ８には反時計回りに回転力が作用し、ラッチ８は、自動的に係止姿勢に復帰する。
【００５９】
開扉状態でラッチ８が係止姿勢にあるとき、ストッパ面が扉枠５に正対しているために、この状態から閉扉操作を行うと、ラッチ８はストッパ面からの没入分力により一旦没入した後、ストライク開口５ｂに係止する。
【００６０】
図９に示すように、閉扉状態においてラッチ８を係止姿勢に維持し、ラッチ８の係止状態を維持するためのラッチストッパ７は、ラッチ８のストッパアーム８ｂの移動を拘束してラッチ８の回転を規制する。図８に示すように、ラッチストッパ７はラッチケース１９に連結されるストッパレバー４９の一端に形成される。ストッパレバー４９は枢軸５０周りに回転自在であり、トーションスプリング５１によりラッチストッパ７がラッチ８を拘束するストッパセット方向に付勢される。
【００６１】
ラッチ駆動用アクチュエータ６にはソレノイドが使用される。ソレノイド６は、図８（ａ）に示す非励磁状態がラッチストッパセット状態、図８（ｂ）に示す励磁状態がストッパ解除状態に対応する。このソレノイド６の駆動力は、ソレノイド６の駆動軸６ａに連結されるソレノイドレバー５２、および中継レバー５３を経由して上記ストッパレバー４９に伝達される。
【００６２】
ソレノイドレバー５２は、枢軸５４周りに、中継レバー５３は枢軸５５周りに各々回転自在であり、ソレノイドレバー５２から中継レバー５３への動力伝達は、ソレノイドレバー５２に形成される突部５２ａにより中継レバー５３の第１ピン５３ａを押し付けることにより行われる。また、中継レバー５３とストッパレバー４９とは、中継レバー５３に立設した第２ピン５３ｂをストッパレバー４９の長孔４９ａに移動自在に挿通させて連結される。
【００６３】
図８（ａ）に示すラッチストッパセット状態からソレノイド６を励磁すると、図８（ｂ）に示すように、ソレノイドレバー５２は反時計方向に回転し、突部５２ａが第１ピン５３ａを押圧する。この結果、中継レバー５３は時計回りに回転し、ストッパレバー４９は反時計回りに回転し、ラッチストッパ７とラッチ８のストッパアーム８ｂとの係止が解除される。
【００６４】
このラッチストッパ７解除状態からソレノイド６の励磁を停止すると、ソレノイド６の駆動軸６ａが図８（ａ）に示す突出位置に復帰してソレノイドレバー５２を原位置に復帰させる。ソレノイドレバー５２の復帰により、第１ピン５３ａへの押圧力が解除されて中継レバー５３に対する反時計回りへの回転拘束が解除され、トーションスプリング５１の復元力によりラッチストッパセット位置側に付勢されたストッパレバー４９はラッチストッパセット位置に移動する。
【図面の簡単な説明】
【００６５】
【図１】本発明を示す機能ブロック図である。
【図２】携帯器の機能ブロック図である。
【図３】錠制御部の機能ブロック図である。
【図４】錠制御部の動作を示すフロー図である。
【図５】錠制御部の動作を示すフロー図である。
【図６】扉用錠装置を示す図で、（ａ）は側面図、（ｂ）は正面図である。
【図７】電気錠部を示す図で、（ａ）は施錠状態を示す図、（ｂ）は解錠状態を示す図である。
【図８】ラッチ部を示す図で、（ａ）はラッチストッパセット状態を示す図、（ｂ）はラッチストッパの解除状態を示す図である。
【図９】ラッチを示す図で、（ａ）は側面図、（ｂ）は（ａ）の９Ｂ-９Ｂ線断面図である。
【図１０】ラッチの動作を示す図で、（ａ）は扉枠への係止状態を示す図、（ｂ）は反転状態を示す図、（ｃ）は扉への没入状態を示す図である。
【符号の説明】
【００６６】
１    デッドボルト駆動用アクチュエータ
２    扉
３    デッドボルト
４    電気錠部
５    扉枠
６    ラッチ駆動用アクチュエータ
７    ラッチストッパ
８    ラッチ
９    ラッチ部
１０  施解錠状態検出部
１１  錠制御部
１２  扉操作ハンドル  
１３  扉接触検出装置
１４  携帯器
１５  認証部
１６  リクエスト信号出力部
【図１】
0005007198.tif 000002
【図２】
0005007198.tif 000003
【図３】
0005007198.tif 000004
【図４】
0005007198.tif 000005
【図５】
0005007198.tif 000006
【図６】
0005007198.tif 000007
【図７】
0005007198.tif 000008
【図８】
0005007198.tif 000009
【図９】
0005007198.tif 000010
【図１０】
0005007198.tif 000011